(57)【要約】  【課題】  自動利得制御を行う通信機において、高速に高精度な電力値にて自動利得制御を行いたい。  【解決手段】  隣接チャンネル除去フィルター１０５の前に第１の電力計算部１０３を設けるとともに、隣接チャンネル除去フィルター１０５の後に第２の電力計算部２０１を設ける。自動利得制御部１０４は、自動利得制御の初期は、第１の電力計算部１０３で求めた次隣接チャンネル信号が除去された受信信号についての電力値を使用して自動利得制御を行い、自動利得制御の後期は、第２の電力計算部２０１で求めた希望チャンネルの信号についての電力値を使用して自動利得制御を行うことにより、高速で高精度な自動利得制御を実現する。【選択図】  図１
2005142985.tif 000002
【特許請求の範囲】
【請求項１】
受信信号の隣接チャンネル除去フィルター前の電力値とフィルター後の電力値の両方を用いて自動利得制御を行うことを特徴とする通信方式。
【請求項２】
前記自動利得制御で使用する電力値について、制御の初期には前記隣接チャンネル除去フィルター前の電力値を用い、所定時間の経過後に前記フィルター後の電力値に切り替えることを特徴とする請求項１に記載の通信方式。
【請求項３】
前記自動利得制御で使用する電力値について、目標電力値に対する現時点の電力値の差分に応じて前記隣接チャンネル除去フィルター前の電力値から前記フィルター後の電力値に徐々に変更することを特徴とする請求項１に記載の通信方式。
【請求項４】
前記自動利得制御で使用する電力値について、ＡＧＣ収束のタイミングで、前記隣接チャンネル除去フィルター前の電力値から前記フィルター後の電力値に切り替えることを特徴とする請求項１に記載の通信方式。
【請求項５】
通信開始直前にエアーをモニターし、隣接チャンネル除去フィルターで除去されない隣接チャンネル信号に相当する電力値をあらかじめ測定記憶しておき、その後、希望チャンネルの信号受信とともに算出電力値から前記記憶した電力値を減算して前記希望チャンネルの信号の電力値を算出し、前記算出した電力値に基づいて自動利得制御を行うことを特徴とする通信方式。
【請求項６】
隣接チャンネル除去フィルターよりも遅延時間の小さいサブの隣接チャンネル除去フィルターを用いて受信信号から隣接チャンネルの信号を除去し、前記隣接チャンネル信号除去後の希望チャンネル信号の電力値を用いて自動利得制御を行うことを特徴とする通信方式。
【請求項７】
送信されてくる電波を受信して増幅するＲＦ部と、
前記ＲＦ部による受信信号において希望チャンネルに対する次隣接チャンネルの信号を除去する次隣接チャンネル除去フィルターと、
前記次隣接チャンネル信号が除去された受信信号について、その電力値の算出を行う第１の電力計算部と、
前記第１の電力計算部により得られた電力値に基づいて自動利得制御を行ってＲＦゲイン制御信号を生成し前記ＲＦ部に帰還させる自動利得制御部と、
前記次隣接チャンネル信号が除去された受信信号において希望チャンネルに対する隣接チャンネルの信号を除去する隣接チャンネル除去フィルターと、
前記次隣接チャンネル信号および隣接チャンネル信号が除去された希望チャンネルの受信信号の復調を行う復調部と、
前記隣接チャンネル除去フィルターによる前記希望チャンネルの信号について、その電力値の算出を行う第２の電力計算部と、
前記第１の電力計算部による電力値と前記第２の電力計算部による電力値とを入力し、前記自動利得制御部に渡す電力切り替え部とを備えた通信装置。
【請求項８】
前記電力切り替え部は、自動利得制御の初期では前記第１の電力計算部からの電力値を前記自動利得制御部に渡し、自動利得制御の後期では前記第２の電力計算部からの電力値を前記自動利得制御部に渡すように構成されている請求項７に記載の通信装置。
【請求項９】
前記電力切り替え部は、前記自動利得制御で使用する電力値について、目標電力値に対する現時点の電力値の差分に応じて前記隣接チャンネル除去フィルター前の電力値と前記フィルター後の電力値とを按分するように構成されている請求項７に記載の通信装置。
【請求項１０】
前記電力切り替え部は、前記自動利得制御で使用する電力値について、ＡＧＣ収束のタイミングで、前記隣接チャンネル除去フィルター前の電力値から前記フィルター後の電力値に切り替えるように構成されている請求項７に記載の通信装置。
【請求項１１】
送信されてくる電波を受信して増幅するもので、通信開始直前にはエアーをモニター可能なＲＦ部と、
前記ＲＦ部による受信信号において希望チャンネルに対する次隣接チャンネルの信号を除去する次隣接チャンネル除去フィルターと、
前記次隣接チャンネル信号が除去された受信信号において希望チャンネルに対する隣接チャンネルの信号を除去する隣接チャンネル除去フィルターと、
前記次隣接チャンネル信号および隣接チャンネル信号が除去された希望チャンネルの受信信号の復調を行う復調部と、
前記次隣接チャンネル信号が除去された受信信号について、その電力値の算出を行う電力計算部と、
前記エアーモニター時に前記電力計算部による隣接チャンネルの信号の電力値を記憶させておく電力記憶部と、
希望チャンネルを受信したときに前記電力計算部による隣接チャンネルおよび希望チャンネルの両信号の電力値と前記電力記憶部からの隣接チャンネルの信号の電力値とを入力し、前記両信号の電力値から前記隣接チャンネルの信号の電力値を減算することにより、希望チャンネルの信号の電力値を推定する電力推定部と、
前記電力推定部により得られた電力値に基づいて自動利得制御を行ってＲＦゲイン制御信号を生成し前記ＲＦ部に帰還させる自動利得制御部とを備えた通信装置。
【請求項１２】
送信されてくる電波を受信して増幅するＲＦ部と、
前記ＲＦ部による受信信号において希望チャンネルに対する次隣接チャンネルの信号を除去する次隣接チャンネル除去フィルターと、
前記次隣接チャンネル信号が除去された受信信号において希望チャンネルに対する隣接チャンネルの信号を除去する隣接チャンネル除去フィルターと、
前記次隣接チャンネル信号および隣接チャンネル信号が除去された希望チャンネルの受信信号の復調を行う復調部と、
処理遅延が前記隣接チャンネル除去フィルターよりも小さく、前記次隣接チャンネル除去フィルターによって次隣接チャンネル信号が除去された受信信号において希望チャンネルに対する隣接チャンネルの信号を除去するサブの隣接チャンネル除去フィルターと、
前記隣接チャンネル信号が除去された受信信号について、その電力値の算出を行う電力計算部と、
前記電力計算部により得られた電力値に基づいて自動利得制御を行ってＲＦゲイン制御信号を生成し前記ＲＦ部に帰還させる自動利得制御部とを備えた通信装置。
【発明の詳細な説明】
【技術分野】
【０００１】
本発明は、自動利得制御（ＡＧＣ：Auto Gain Control）の機能を備えた通信方式および通信装置にかかわり、特にはＡＧＣの高精度化・高速化の技術に関する。
【背景技術】
【０００２】
通信装置は、受信信号の復調において信号が一定のレファレンスレベルとなるようにするために、ＲＦ部のアンプに対してそのゲインを制御する（自動利得制御）。
【０００３】
図４を用いて従来の技術を説明する。送信されてくる電波をＲＦ部１０１で受信し、受信信号を内蔵のＲＦアンプで増幅し、次隣接チャンネル除去フィルター１０２に渡す。次隣接チャンネル除去フィルター１０２により受信信号から希望チャンネルに対する次隣接チャンネルの信号を除去し、電力計算部１０３および隣接チャンネル除去フィルター１０５に渡す。電力計算部１０３は、次隣接チャンネル信号が除去された受信信号の電力値を算出し、算出結果の電力値を自動利得制御部１０４に渡す。自動利得制御部１０４は、電力計算部１０３からの電力値の目標電力値に対する差分を算出し、差分に比例する大きさのＲＦゲイン制御信号を生成し、ＲＦ部１０１にフィードバックする。ＲＦ部１０１におけるＲＦアンプは、ＲＦゲイン制御信号に従ってゲインを制御し、受信信号の増幅の制御を行うことにより、受信信号を一定のレファレンスレベルにする。
【０００４】
一方、次隣接チャンネル除去フィルター１０２によって次隣接チャンネル信号が除去され、かつ自動利得制御された受信信号は隣接チャンネル除去フィルター１０５に渡される。隣接チャンネル除去フィルター１０５は、次隣接チャンネル信号が除去された受信信号から希望チャンネルに対する隣接チャンネルの信号を除去し、復調部１０６に渡す。復調部１０６は、上記のようにして自動利得制御で利得が制御され、フィルターによって抽出された希望チャンネルの信号を復調する。
【０００５】
自動利得制御のために用いる電力値を、隣接チャンネル除去フィルター１０５の後段ではなく前段で取得するように構成しているが、それは次の理由による。すなわち、隣接チャンネル除去フィルター１０５は処理遅延が比較的大きいため、早く自動利得制御を完了させるためには、フィルター処理前の信号で電力計算を行う必要があるからである。
【０００６】
図５は、次隣接チャンネル除去フィルターと隣接チャンネル除去フィルターが受信信号において希望チャンネル以外の信号を除去する処理を説明するスペクトル図である。第１段階で、太い実線のフィルタ特性を有する次隣接チャンネル除去フィルターによって次隣接チャンネルの信号が除去され、第２段階で、破線のフィルタ特性を有する隣接チャンネル除去フィルターによって隣接チャンネルの信号が除去され、最終的に希望チャンネルの信号のみが抽出される。
【非特許文献１】IEEE P802.11a/D7.0,July 1999
【発明の開示】
【発明が解決しようとする課題】
【０００７】
従来の技術においては、自動利得制御で用いる電力値が隣接チャンネル除去フィルターより前の信号について算出されたものであり、その信号には希望チャンネルの信号だけでなく隣接チャンネルの信号も含まれており、両信号の電力値が算出されている。その結果、自動利得制御で用いられる電力値は希望チャンネルの電力値とは異なっている場合があり、希望チャンネルだけの電力値のみで自動利得制御を行うことができない。すなわち、隣接チャンネル除去フィルター前の信号より電力値を計算した場合、自動利得制御を高精度に実現することがむずかしい。
【課題を解決するための手段】
【０００８】
本発明は、上記の課題を解決するために次のような手段を講じる。
【０００９】
第１の解決手段として、本発明による通信方式は、受信信号について、隣接チャンネル除去フィルターによるフィルター前の電力値とフィルター後の電力値とを取得し、これら両方の電力値を用いて自動利得制御を行うことを特徴とするものである。
【００１０】
この通信方式に対応する通信装置として、次のように構成する。それは、
送信されてくる電波を受信して増幅するＲＦ部と、
前記ＲＦ部による受信信号において希望チャンネルに対する次隣接チャンネルの信号を除去する次隣接チャンネル除去フィルターと、
前記次隣接チャンネル信号が除去された受信信号について、その電力値の算出を行う第１の電力計算部と、
前記第１の電力計算部により得られた電力値に基づいて自動利得制御を行ってＲＦゲイン制御信号を生成し前記ＲＦ部に帰還させる自動利得制御部と、
前記次隣接チャンネル信号が除去された受信信号において希望チャンネルに対する隣接チャンネルの信号を除去する隣接チャンネル除去フィルターと、
前記次隣接チャンネル信号および隣接チャンネル信号が除去された希望チャンネルの受信信号の復調を行う復調部と、
前記隣接チャンネル除去フィルターによる前記希望チャンネルの信号について、その電力値の算出を行う第２の電力計算部と、
前記第１の電力計算部による電力値と前記第２の電力計算部による電力値とを入力し、前記自動利得制御部に渡す電力切り替え部とを備えた通信装置である。
【００１１】
この第１の解決手段によれば、隣接チャンネル除去のフィルター前の電力値を用いることにより自動利得制御を素早く開始させることができるとともに、隣接チャンネル除去のフィルター後の希望チャンネル信号のみの精度の高い電力値を用いることにより精度の高い自動利得制御を実現し、通信精度を向上させることができる。
【００１２】
第２の解決手段として、本発明による通信方式は、上記第１の解決手段において、前記自動利得制御で使用する電力値について、制御の初期には前記隣接チャンネル除去フィルター前の電力値を用い、所定時間の経過後に前記フィルター後の電力値に切り替えるものである。
【００１３】
この通信方式に対応する通信装置としては、前記電力切り替え部が、自動利得制御の初期では前記第１の電力計算部からの電力値を前記自動利得制御部に渡し、自動利得制御の後期では前記第２の電力計算部からの電力値を前記自動利得制御部に渡すように構成されたものである。
【００１４】
この第２の解決手段によれば、自動利得制御の初期にフィルター前の電力値を用い、所定時間が経過して自動利得制御の後期に入ると、フィルター後の希望チャンネル信号のみの精度の高い電力値に切り替えるので、素早い自動利得制御の開始と、高精度な自動利得制御とを両立させることができる。
【００１５】
第３の解決手段として、本発明による通信方式は、上記第１の解決手段において、前記自動利得制御で使用する電力値について、目標電力値に対する現時点の電力値の差分に応じて前記隣接チャンネル除去フィルター前の電力値から前記フィルター後の電力値に徐々に変更するものである。
【００１６】
この通信方式に対応する通信装置としては、前記電力切り替え部が、前記自動利得制御で使用する電力値について、目標電力値に対する現時点の電力値の差分に応じて前記隣接チャンネル除去フィルター前の電力値と前記フィルター後の電力値とを按分するように構成されたものである。
【００１７】
この第３の解決手段によれば、上記の第２の解決手段のように一定時間の経過を待ってフィルター前の電力値からフィルター後の電力値に一気に切り替えるのではなく、実際のＡＧＣ収束経過に従って、２つの電力値を適応的に遷移させるため、ＡＧＣ収束をより早期にかつより的確に実現することができる。
【００１８】
第４の解決手段として、本発明による通信方式は、上記第１の解決手段において、前記自動利得制御で使用する電力値について、ＡＧＣ収束のタイミングで、前記隣接チャンネル除去フィルター前の電力値から前記フィルター後の電力値に切り替えるものである。
【００１９】
この通信方式に対応する通信装置としては、前記電力切り替え部が、前記自動利得制御で使用する電力値について、ＡＧＣ収束のタイミングで、前記隣接チャンネル除去フィルター前の電力値から前記フィルター後の電力値に切り替えるように構成されたものである。
【００２０】
この第４の解決手段によれば、電力切り替え部は自動利得制御の完了タイミングでフィルター前の電力値の選択状態からフィルター後の電力値の選択状態に切り替えるので、自動利得制御の完了タイミングを検出しさえすればよく、処理が簡単であり、また回路規模も小さなものですむ。
【００２１】
第５の解決手段として、本発明による通信方式は、通信開始直前にエアーをモニターし、隣接チャンネル除去フィルターで除去されない隣接チャンネル信号に相当する電力値をあらかじめ測定記憶しておき、その後、希望チャンネルの信号受信とともに算出電力値から前記記憶した電力値を減算して前記希望チャンネルの信号の電力値を算出し、前記算出した電力値に基づいて自動利得制御を行うことを特徴とする。
【００２２】
この通信方式に対応する通信装置として、次のように構成する。それは、
送信されてくる電波を受信して増幅するもので、通信開始直前にはエアーをモニター可能なＲＦ部と、
前記ＲＦ部による受信信号において希望チャンネルに対する次隣接チャンネルの信号を除去する次隣接チャンネル除去フィルターと、
前記次隣接チャンネル信号が除去された受信信号において希望チャンネルに対する隣接チャンネルの信号を除去する隣接チャンネル除去フィルターと、
前記次隣接チャンネル信号および隣接チャンネル信号が除去された希望チャンネルの受信信号の復調を行う復調部と、
前記次隣接チャンネル信号が除去された受信信号について、その電力値の算出を行う電力計算部と、
前記エアーモニター時に前記電力計算部による隣接チャンネルの信号の電力値を記憶させておく電力記憶部と、
希望チャンネルを受信したときに前記電力計算部による隣接チャンネルおよび希望チャンネルの両信号の電力値と前記電力記憶部からの隣接チャンネルの信号の電力値とを入力し、前記両信号の電力値から前記隣接チャンネルの信号の電力値を減算することにより、希望チャンネルの信号の電力値を推定する電力推定部と、
前記電力推定部により得られた電力値に基づいて自動利得制御を行ってＲＦゲイン制御信号を生成し前記ＲＦ部に帰還させる自動利得制御部とを備えた通信装置である。
【００２３】
この第５の解決手段によれば、通信開始直前のエアーモニターで得られた隣接チャンネル信号に相当する電力値をあらかじめ測定記憶し、現在受信状態の希望チャンネルの信号のみの電力値を記憶電力値を用いて推定し、その推定された電力値で自動利得制御を行うので、希望チャンネル受信開始からＡＧＣ収束までをより短時間で達成することができる。
【００２４】
第６の解決手段として、本発明による通信方式は、隣接チャンネル除去フィルターよりも遅延時間の小さいサブの隣接チャンネル除去フィルターを用いて受信信号から隣接チャンネルの信号を除去し、前記隣接チャンネル信号除去後の希望チャンネル信号の電力値を用いて自動利得制御を行うことを特徴とする。
【００２５】
この通信方式に対応する通信装置として、次のように構成する。それは、
送信されてくる電波を受信して増幅するＲＦ部と、
前記ＲＦ部による受信信号において希望チャンネルに対する次隣接チャンネルの信号を除去する次隣接チャンネル除去フィルターと、
前記次隣接チャンネル信号が除去された受信信号において希望チャンネルに対する隣接チャンネルの信号を除去する隣接チャンネル除去フィルターと、
前記次隣接チャンネル信号および隣接チャンネル信号が除去された希望チャンネルの受信信号の復調を行う復調部と、
処理遅延が前記隣接チャンネル除去フィルターよりも小さく、前記次隣接チャンネル除去フィルターによって次隣接チャンネル信号が除去された受信信号において希望チャンネルに対する隣接チャンネルの信号を除去するサブの隣接チャンネル除去フィルターと、
前記隣接チャンネル信号が除去された受信信号について、その電力値の算出を行う電力計算部と、
前記電力計算部により得られた電力値に基づいて自動利得制御を行ってＲＦゲイン制御信号を生成し前記ＲＦ部に帰還させる自動利得制御部とを備えた通信装置である。
【００２６】
この第６の解決手段によれば、復調のための隣接チャンネル除去フィルターよりも処理遅延が小さいサブの隣接チャンネル除去フィルターを用いて希望チャンネルの信号を抽出するので、また、一気に切り替えるのではなく、実際のＡＧＣ収束経過に従って電力値を適応的に遷移させるので、ＡＧＣ収束を早めることができる。そして、そのためのサブの隣接チャンネル除去フィルターは構成が簡単である。
【発明の効果】
【００２７】
本発明によれば、自動利得制御の素早い開始と、希望チャンネルのみの電力値を用いた高精度な自動利得制御とを両立させることができ、通信精度の向上に効果がある。
【発明を実施するための最良の形態】
【００２８】
以下、本発明にかかわる通信方式、通信装置の実施の形態を図面に基づいて詳細に説明する。
【００２９】
（実施の形態１）
図１は本発明の実施の形態１における通信装置の構成を示すブロック図である。図１において、１０１は送信されてくる電波を受信して増幅するＲＦ（Radio Frequency）部、１０２はＲＦ部１０１による受信信号において希望チャンネルに対する次隣接チャンネルの信号を除去する次隣接チャンネル除去フィルター、１０３は次隣接チャンネル信号が除去された受信信号について、その電力値の算出を行う第１の電力計算部、１０４は得られた電力値に基づいて自動利得制御を行ってＲＦゲイン制御信号を生成し、ＲＦ部１０１に帰還させる自動利得制御部、１０５は次隣接チャンネル信号が除去された受信信号において希望チャンネルに対する隣接チャンネルの信号を除去する隣接チャンネル除去フィルター、１０６は次隣接チャンネル信号および隣接チャンネル信号が除去された希望チャンネルの受信信号の復調を行う復調部、２０１は希望チャンネルの信号について、その電力値の算出を行う第２の電力計算部である。第１の電力計算部１０３が隣接チャンネル除去フィルター１０５の前段に配置されているのに対して、第２の電力計算部２０１は隣接チャンネル除去フィルター１０５の後段に配置されている。２０２は第１の電力計算部１０３による電力値と第２の電力計算部２０１による電力値とを入力し、自動利得制御の初期では第１の電力計算部１０３からの電力値を自動利得制御部１０４に渡し、所定時間が経過して自動利得制御の後期に入ると、第２の電力計算部２０１からの電力値を自動利得制御部１０４に渡す状態に切り替わるように動作する電力切り替え部である。
【００３０】
次に、以上のように構成された本実施の形態の通信装置の動作を説明する。
【００３１】
送信されてくる電波をＲＦ部１０１で受信し、受信信号を内蔵のＲＦアンプで増幅し、次隣接チャンネル除去フィルター１０２に渡す。次隣接チャンネル除去フィルター１０２により受信信号から希望チャンネルに対する次隣接チャンネルの信号を除去し、第１の電力計算部１０３および隣接チャンネル除去フィルター１０５に渡す。第１の電力計算部１０３は、次隣接チャンネル信号が除去された受信信号の電力値を算出し、算出結果の電力値Ｐ１を電力切り替え部２０２に渡す。自動利得制御部１０４は電力切り替え部２０２を制御し、自動利得制御の初期では電力切り替え部２０２は第１の電力計算部１０３からの電力値Ｐ１を選択して自動利得制御部１０４に渡す。
【００３２】
自動利得制御の初期に第１の電力計算部１０３による電力値Ｐ１を用いるのは、自動利得制御を早期に開始させるためである。すなわち、もし、第２の電力計算部２０１による電力値Ｐ２を自動利得制御の初期から用いるとなると、第２の電力計算部２０１の前段階の隣接チャンネル除去フィルター１０５がもつ処理遅延の悪影響を受ける。これを避けるため、自動利得制御の初期には第１の電力計算部１０３による電力値Ｐ１のみを用いる。
【００３３】
自動利得制御部１０４は、自動利得制御の初期において、第１の電力計算部１０３からの電力値Ｐ１の目標電力値Ｐ０に対する差分ΔＰを算出し、差分ΔＰに比例する大きさのＲＦゲイン制御信号を生成し、ＲＦ部１０１にフィードバックする。ＲＦ部１０１におけるＲＦアンプは、ＲＦゲイン制御信号に従ってゲインを制御し、受信信号の増幅の制御を行うことにより、受信信号を一定のレファレンスレベルにする。この自動利得制御の初期での自動利得制御は、隣接チャンネル除去フィルター１０５によるフィルター前の信号から得られた電力値Ｐ１に基づくものとなっている。すなわち、目標電力値に対して電力値Ｐ１が収束するような制御となっている。
【００３４】
次隣接チャンネル除去フィルター１０２によって次隣接チャンネル信号が除去され、かつ自動利得制御の初期段階にある受信信号は隣接チャンネル除去フィルター１０５に渡される。隣接チャンネル除去フィルター１０５は、次隣接チャンネル信号が除去された受信信号から希望チャンネルに対する隣接チャンネルの信号を除去し、第２の電力計算部２０１および復調部１０６に渡す。第２の電力計算部２０１は、次隣接チャンネル信号および隣接チャンネル信号が除去された希望チャンネルの信号の電力値を算出し、算出結果の電力値Ｐ２を電力切り替え部２０２に渡す。自動利得制御部１０４は時間の経過に伴って自動利得制御の後期になると、電力切り替え部２０２を切り替え、電力切り替え部２０２は第２の電力計算部２０１からの電力値Ｐ２を選択して自動利得制御部１０４に渡す。
【００３５】
自動利得制御の後期に第２の電力計算部２０１による電力値Ｐ２を用いるのは、第１の電力計算部１０３による電力値Ｐ１は隣接チャンネルの信号も含んだ複合的信号の電力値であり、希望チャンネルのみの信号の電力値ではなく、通信精度の劣化を伴う可能性があるからである。これを避けるため、自動利得制御の後期には第２の電力計算部２０１による電力値Ｐ２を用いる。
【００３６】
自動利得制御部１０４は、自動利得制御の後期において、第２の電力計算部２０１からの電力値Ｐ２の目標電力値Ｐ０に対する差分ΔＰを算出し、差分ΔＰに比例する大きさのＲＦゲイン制御信号を生成し、ＲＦ部１０１にフィードバックする。ＲＦ部１０１におけるＲＦアンプは、ＲＦゲイン制御信号に従ってゲインを制御し、受信信号の増幅の制御を行う。この自動利得制御の後期での自動利得制御は、隣接チャンネル除去フィルター１０５によるフィルター後の希望チャンネルの信号から得られた電力値Ｐ２に基づくものとなっている。すなわち、電力値Ｐ２が目標電力値に対して収束するような制御となっている。
【００３７】
復調部１０６は、上記のようにして隣接チャンネル除去フィルター１０５によるフィルター後の希望チャンネルの信号から得られた電力値Ｐ２に基づく自動利得制御で利得が制御された希望チャンネルの信号を復調する。
【００３８】
以上のように本実施の形態によれば、自動利得制御の初期では、第１の電力計算部１０３によって計算された電力値Ｐ１を用いることにより、自動利得制御を早く開始させ、自動利得制御の後期は第２の電力計算部２０１によって計算された精度の高い電力値Ｐ２を用いることにより、精度の高い自動利得制御を実現し、通信の精度を向上する。
【００３９】
（実施の形態２）
上記の実施の形態１では、第１の電力計算部１０３による電力値Ｐ１から第２の電力計算部２０１による電力値Ｐ２への切り替えを、時間経過によって自動利得制御の初期から後期へと変化した時点で行うように構成している。この場合、自動利得制御の後期に入ってから相当の時間が経つまでＡＧＣ収束が完了しない。この点の改良を加味したのが本発明の実施の形態２である。
【００４０】
以下、本発明の実施の形態２の通信装置について説明する。実施の形態２の通信装置の構成は図１のとおりである。ただし、電力切り替え部２０２の機能が実施の形態１とは異なっている。
【００４１】
実施の形態２の電力切り替え部２０２は、自動利得制御部１０４で計算される現時点の電力値Ｐｔと目標電力値Ｐ０との差分ΔＰの大きさに応じて、第１の電力計算部１０３による電力値Ｐ１から第２の電力計算部２０１による電力値Ｐ２へと徐々に推移させる。
【００４２】
すなわち、例えば一例として、自動利得制御に用いる電力値Ｐｇについて、差分ΔＰに応じて電力値Ｐ１と電力値Ｐ２を按分する。按分の係数ｋを、
ｋ＝ΔＰ／Ｐ０  （０≦ｋ≦１）
として、自動利得制御に用いる電力値Ｐｇは、
Ｐｇ＝Ｐ１×ｋ＋Ｐ２（１−ｋ）
である。
【００４３】
自動利得制御部１０４は、自動利得制御に用いる電力値Ｐｇの目標電力値Ｐ０に対する差分ΔＱを算出し、差分ΔＱに比例する大きさのＲＦゲイン制御信号を生成し、ＲＦ部１０１にフィードバックする。
【００４４】
以上のように本実施の形態によれば、実施の形態１のように一定時間の経過を待って第１の電力計算部１０３による電力値Ｐ１から第２の電力計算部２０１による電力値Ｐ２に一気に切り替えるのではなく、実際のＡＧＣ収束経過に従って、２つの電力値Ｐ１，Ｐ２を適応的に遷移させることができるため、ＡＧＣ収束をより早期にかつより的確に実現することができる。その他については、実施の形態１と同様であるので説明を省略する。
【００４５】
（実施の形態３）
上記の実施の形態１では自動利得制御において時刻設定、時間計数および比較を行い、上記の実施の形態２では自動利得制御において差分ΔＰの大きさに応じた按分を行っているが、いずれも処理が複雑で、回路規模が大きくなりがちである。この点の改良を加味したのが本発明の実施の形態３である。
【００４６】
以下、本発明の実施の形態３の通信装置について説明する。実施の形態３の通信装置の構成は図１のとおりである。ただし、電力切り替え部２０２の機能が実施の形態１とは異なっている。
【００４７】
実施の形態３の電力切り替え部２０２は、自動利得制御の完了タイミングで、第１の電力計算部１０３による電力値Ｐ１の選択状態から第２の電力計算部２０１による電力値Ｐ２の選択状態に切り替える。
【００４８】
本実施の形態によれば、自動利得制御の完了タイミングを検出しさえすればよく、処理が簡単であるので、回路規模も小さなものですむ。その他については、実施の形態１と同様であるので説明を省略する。
【００４９】
（実施の形態４）
図２は本発明の実施の形態４における通信装置の構成を示すブロック図である。図２において、実施の形態１の図１におけるのと同じ符号は同一構成要素を指しているので、詳しい説明は省略する。図１における第２の電力計算部２０１はない。そこで、１０３を単に電力計算部と呼称する。実施の形態１の場合と同様に、ＲＦ部１０１、次隣接チャンネル除去フィルター１０２、電力計算部１０３、自動利得制御部１０４、隣接チャンネル除去フィルター１０５、復調部１０６を備えている。図１における電力切り替え部２０２はない。代わりに、電力記憶部３０１と電力推定部３０２とを備えている。電力記憶部３０１は、エアーの電波をモニター受信したときの、電力計算部１０３で算出された隣接チャンネルの信号の電力値Ｐｒを記憶させておくためのものである。電力推定部３０２は、希望チャンネルを受信したときの、電力計算部１０３で算出された隣接チャンネルと希望チャンネルの両信号の電力値Ｐｃを入力するとともに、電力記憶部３０１から隣接チャンネルの信号の電力値Ｐｒを入力し、両信号の電力値Ｐｃから隣接チャンネルの信号の電力値Ｐｒを減算することにより、希望チャンネルの信号の電力値Ｐｗを推定するものである。
【００５０】
Ｐｗ＝Ｐｃ−Ｐｒ
次に、以上のように構成された本実施の形態の通信装置の動作を説明する。
【００５１】
希望チャンネルの信号を受信する直前に、エアーの電波をモニター受信する。受信した信号につき、次隣接チャンネル除去フィルター１０２を通すと、これには隣接チャンネルが残ることになる。電力計算部１０３では、隣接チャンネルの電力値Ｐｒを算出する。この隣接チャンネルの信号の電力値Ｐｒは電力記憶部３０１に記憶される。
【００５２】
次いで、希望チャンネルの信号を受信し、実施の形態１と同様にして電力計算部１０３で電力値Ｐｃを算出する。このときの電力値Ｐｃは、隣接チャンネルの信号と希望チャンネルの信号との電力値和である。この電力値Ｐｃを電力推定部３０２に渡す。電力推定部３０２は、電力計算部１０３からの両信号の電力値Ｐｃを入力するとともに、電力記憶部３０１から隣接チャンネルの信号の電力値Ｐｒを入力し、前者から後者を減算することにより、希望チャンネルの信号の電力値Ｐｗを推定し、その電力値Ｐｗを自動利得制御部１０４に渡す。
【００５３】
本実施の形態によれば、希望チャンネルの受信に先立ってあらかじめ隣接チャンネルの電力値を記憶しておくので、希望チャンネル受信開始からＡＧＣ収束までをより短時間で達成することができる。その他については、実施の形態１と同様であるので説明を省略する。
【００５４】
（実施の形態５）
図３は本発明の実施の形態５における通信装置の構成を示すブロック図である。図３において、実施の形態１の図１におけるのと同じ符号は同一構成要素を指しているので、詳しい説明は省略する。実施の形態１の場合と同様に、ＲＦ部１０１、次隣接チャンネル除去フィルター１０２、自動利得制御部１０４、隣接チャンネル除去フィルター１０５、復調部１０６を備えている。４０１は処理遅延が隣接チャンネル除去フィルター１０５よりも小さいより簡単な構成のサブの隣接チャンネル除去フィルターである。このサブの隣接チャンネル除去フィルター４０１は、次隣接チャンネル除去フィルター１０２によって次隣接チャンネル信号が除去された受信信号において希望チャンネルに対する隣接チャンネルの信号を、処理遅延が小さいことから隣接チャンネル除去フィルター１０５よりも早く除去し、希望チャンネルの信号を生成する。４０２は次隣接チャンネル信号および隣接チャンネル信号が除去された希望チャンネルの信号について、その電力値の算出を行う電力計算部である。図１における第２の電力計算部２０１および電力切り替え部２０２はない。
【００５５】
次に、以上のように構成された本実施の形態の通信装置の動作を説明する。
【００５６】
送信されてくる電波をＲＦ部１０１で受信し、受信信号を内蔵のＲＦアンプで増幅し、次隣接チャンネル除去フィルター１０２に渡す。次隣接チャンネル除去フィルター１０２により受信信号から希望チャンネルに対する次隣接チャンネルの信号を除去し、隣接チャンネル除去フィルター１０５およびサブの隣接チャンネル除去フィルター４０１に渡す。サブの隣接チャンネル除去フィルター４０１は、次隣接チャンネル信号が除去された受信信号から希望チャンネルに対する隣接チャンネルの信号を除去し、電力計算部４０２に渡す。電力計算部４０２は、次隣接チャンネル信号および隣接チャンネル信号が除去された希望チャンネルの信号の電力値を算出し、算出結果の電力値Ｐｓを自動利得制御部１０４に渡す。
【００５７】
自動利得制御部１０４は、電力計算部４０２からの電力値Ｐｓの目標電力値Ｐ０に対する差分ΔＰを算出し、差分ΔＰに比例する大きさのＲＦゲイン制御信号を生成し、ＲＦ部１０１にフィードバックする。ＲＦ部１０１におけるＲＦアンプは、ＲＦゲイン制御信号に従ってゲインを制御し、受信信号の増幅の制御を行う。
【００５８】
一方、隣接チャンネル除去フィルター１０５は、次隣接チャンネル信号が除去された受信信号から希望チャンネルに対する隣接チャンネルの信号を除去し、復調部１０６に渡す。復調部１０６は、上記のようにして隣接チャンネル除去フィルター１０５によるフィルター後の希望チャンネルの信号から得られた電力値Ｐｓに基づく自動利得制御で利得制御が早期に行われた希望チャンネルの信号を復調する。
【００５９】
以上のように本実施の形態によれば、自動利得制御では、復調のための隣接チャンネル除去フィルター１０５よりも処理遅延が小さいサブの隣接チャンネル除去フィルター４０１を用いて希望チャンネルの信号を抽出するので、ＡＧＣ収束が早く行われる。また、実施の形態１のように一定時間の経過を待って第１の電力計算部１０３による電力値Ｐ１から第２の電力計算部２０１による電力値Ｐ２に一気に切り替えるのではなく、実際のＡＧＣ収束経過に従って電力値Ｐｓを適応的に遷移させることも、ＡＧＣ収束を早める要因である。サブの隣接チャンネル除去フィルター４０１は、処理遅延が小さく簡単な構成のフィルターにて隣接チャンネル信号を除去するため、隣接チャンネル除去フィルター１０５に比べて精度が落ちるが、少ない構成で精度を向上させることができる。その他については、実施の形態１と同様であるので説明を省略する。
【産業上の利用可能性】
【００６０】
本発明の通信方式、通信装置は、自動利得制御を行う通信受信機等として有用である。
【図面の簡単な説明】
【００６１】
【図１】本発明の実施の形態１，２，３における通信装置の構成を示すブロック図
【図２】本発明の実施の形態４における通信装置の構成を示すブロック図
【図３】本発明の実施の形態５における通信装置の構成を示すブロック図
【図４】従来の技術における通信装置の構成を示すブロック図
【図５】次隣接チャンネル／隣接チャンネル除去の処理を示す信号スペクトル図
【符号の説明】
【００６２】
１０１  ＲＦ部
１０２  次隣接チャンネル除去フィルター
１０３  電力計算部（第１の電力計算部）
１０４  自動利得制御部
１０５  隣接チャンネル除去フィルター
１０６  復調部
２０１  第２の電力計算部
２０２  電力切り替え部
３０１  電力記憶部
３０２  電力推定部
４０１  サブの隣接チャンネル除去フィルター
４０２  電力計算部
【図１】
2005142985.tif 000003
【図２】
2005142985.tif 000004
【図３】
2005142985.tif 000005
【図４】
2005142985.tif 000006
【図５】
2005142985.tif 000007